(57)【要約】【課題】パレットと組合わせた形態で使用可能に構成されるとともに、耐久性の向上を図ることのできる蓋部材を提供する。【解決手段】梱包ユニット１は、パレット２と、物品を収容し、パレット２に載置された箱部材３に被せられる蓋部材４とを備える。蓋部材４は、平面視略矩形状の天壁部２１と、天壁部２１の各側辺部からそれぞれ下方に延出する外壁部２２と、外壁部２２の内周側において、天壁部２１から下方に突出するとともに、外壁部２２間を連結する複数の補強リブ２３とを備える。蓋部材４のうち、梱包ユニット１同士を積み重ねた場合に、上段の梱包ユニット１のパレット２のフォーク差込み部１４の下方に配置される部位において、天壁部２１と、外壁部２２との境界部は、天壁部２１と、外壁部２２との間を斜めに連結する傾斜壁部２８により構成される。また、蓋部材４は、傾斜壁部２８の内側面と、補強リブ２３との間を連結する増強リブ３０を備える。【選択図】      図１
2019210006.tif 000002
【特許請求の範囲】
【請求項１】
パレットに載置された物品に蓋部材を被せた梱包ユニットを構成する蓋部材であって、
平面視略矩形状の天壁部と、
前記天壁部の各側辺部からそれぞれ下方に延出する外壁部と、
前記外壁部の内周側において、前記天壁部から下方に突出するとともに、前記外壁部間を連結する複数の補強リブとを備え、
梱包ユニット同士を積み重ねた場合に、上段の梱包ユニットのパレットのフォーク差込み部の下方に配置される部位において、前記天壁部と、前記外壁部との境界部は、前記天壁部と、前記外壁部との間を斜めに連結する傾斜壁部により構成され、
前記傾斜壁部の内側面と、前記補強リブとの間を連結する増強リブを備えていることを特徴とする蓋部材。
【請求項２】
前記傾斜壁部の外側面には、梱包ユニットのパレットの下面側と、蓋部材の上面側とにかけて装着される結束バンドの位置決めを行う溝部が設けられていることを特徴とする請求項１に記載の蓋部材。
【請求項３】
前記溝部は、前記傾斜壁部から、前記天壁部、及び、前記外壁部にも連続して設けられていることを特徴とする請求項２に記載の蓋部材。
【発明の詳細な説明】
【技術分野】
【０００１】
本発明は、物品を運搬等する場合にパレットと組合わせて使用される蓋部材に関するものである。
【背景技術】
【０００２】
従来、物品を運搬等する場合に、パレットに物品を載置するとともに、パレットに載置された物品に蓋部材を被せた梱包ユニットとすることが知られている。さらに、かかる梱包ユニット同士を積み重ねる（段積みする）場合がある。ところで、段積みされた梱包ユニットのうち上段の梱包ユニットをフォークリフトで順次運搬する場合等において、パレットのフォーク差込み部に対しフォークリフトのフォークを差し込む際に、フォークの先端が蓋部材に接触し、場合によっては、蓋部材が損傷してしまうおそれがある。
【０００３】
これに対し、蓋部材のうち、梱包ユニットの段積み状態においてパレットのフォーク差込み部の入口の下方に配置され得る部位の外面側に凹部を設け、当該凹部に対し、蓋部材の高さ方向に延びる補強リブをフォーク差込み部の入口の横幅方向に並べて複数設けるとともに、当該補強リブのうち蓋部材の外方側の辺部を、上方（梱包ユニットの段積み状態では上段の梱包ユニットのフォーク差込み部側）、かつ、蓋部材の内方に向けて傾斜させるといった技術がある（例えば、特許文献１等参照。）。
【先行技術文献】
【特許文献】
【０００４】
【特許文献１】特開２００４−１０１２９号公報
【発明の概要】
【発明が解決しようとする課題】
【０００５】
ところで、上記特許文献１の蓋部材に設けられた前記複数の補強リブのうち、補強リブ単体としては、それ程の強度を有していない。このため、前記複数の補強リブに対してフォークリフトのフォークが接触した場合に、各補強リブに対するフォークの相対的な角度や位置によっては、補強リブ自体が損傷してしまうおそれがある。
【０００６】
本発明は上記例示した問題点等を解決するためになされたものであって、その目的は、パレットと組合わせた形態で使用可能に構成されるとともに、耐久性の向上を図ることのできる蓋部材を提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．パレットに載置された物品に蓋部材を被せた梱包ユニットを構成する蓋部材であって、
平面視略矩形状の天壁部と、
前記天壁部の各側辺部からそれぞれ下方に延出する外壁部と、
前記外壁部の内周側において、前記天壁部から下方に突出するとともに、前記外壁部間を連結する複数の補強リブとを備え、
梱包ユニット同士を積み重ねた場合に、上段の梱包ユニットのパレットのフォーク差込み部の下方に配置される部位において、前記天壁部と、前記外壁部との境界部は、前記天壁部と、前記外壁部との間を斜めに連結する傾斜壁部により構成され、
前記傾斜壁部の内側面と、前記補強リブとの間を連結する増強リブを備えていることを特徴とする蓋部材。
【０００９】
手段１によれば、段積みされた梱包ユニットのうち上段の梱包ユニットをフォークリフトで順次運搬する場合等において、パレットのフォーク差込み部に対しフォークリフトのフォークを差し込む際に、フォークの先端が蓋部材の傾斜壁部に接触してしまった場合、当該傾斜壁部の内側面と連結されているリブの全て（並びに、天壁部）が協働して、傾斜壁部を支持することとなる。つまり、フォークが蓋部材に接触した衝撃を、傾斜壁部を介して、当該傾斜壁部に連結されている全てのリブ（並びに、天壁部）に分散させることができ、フォークとの接触部位の損傷や変形等を防止することができる。従って、蓋部材の耐久性の向上を図ることができる。特に、本手段１によれば、外壁部のうち、蓋部材の周方向において傾斜壁部が設けられている区間に関しては、補強リブだけでなく、増強リブを連結させることができる。従って、蓋部材に設けられるリブが全体的に増加する場合に比べて蓋部材の重量化を抑制しつつ、上記のようにフォークに接触された傾斜壁部を支持するリブのピッチをより密にすることができ、接触部位の変形等を防止する作用効果がより一層奏される。
【００１０】
さらに、傾斜壁部に接触したフォークリフトのフォークは、傾斜壁部の傾斜により、フォーク差込み部側に案内されることとなり（フォークをフォーク差込み部側に逃がすことができ）、この点からも、フォークとの接触部位の損傷等を防止するといった作用効果がより顕著に奏される。
【００１１】
尚、「前記補強リブは、前記補強リブ同士が交差するようにして格子状に設けられていること」としてもよい。この場合、補強リブ、ひいては、蓋部材の強度及び剛性をより一層高めるとともに、傾斜壁部と補強リブとの間を連結する増強リブを設けることにより傾斜壁部の周辺部の耐久性を向上させるといった作用効果がより確実に奏される。また、手段１に記載された技術思想を、「パレットに載置された物品に蓋部材を被せた梱包ユニット」に具現化することとしてもよい。さらに、「パレットは、複数の柱部と、前記複数の柱部の上端部間を連結する上デッキ部とを備え、前記複数の柱部の間において、下方に開口するとともに、側方からフォークリフトのフォークを差し込み可能とするフォーク差込み部が設けられていること」としてもよい。
【００１２】
手段２．前記傾斜壁部の外側面には、梱包ユニットのパレットの下面側と、蓋部材の上面側とにかけて装着される結束バンドの位置決めを行う溝部が設けられていることを特徴とする手段１に記載の蓋部材。
【００１３】
手段２によれば、梱包ユニットに装着された結束バンドがずれるといった事態を抑止することができる。特に、天壁部と、外壁部との境界部が傾斜壁部とされている部位に溝部が設けられることにより、例えば、天壁部と、外壁部とがほぼ直角に連結された境界部に結束バンドが掛けられる場合に比べ、前記境界部の変形等を抑制する（上記のように、傾斜壁部の内面側には増強リブが追加で設けられているため、かかる効果がより顕著になる）とともに、溝部を好適な位置で面積をより広く確保して設けることができる。
【００１４】
さらに、例えば、傾斜壁部に一対のリブを設けることによって、結束バンドの位置決めを行うことも考えられるが、この場合、前記リブに対し、フォークリフトのフォークが接触した場合に、前記リブが損傷し（折り取れ）、位置決めを行うことが不可能になってしまうことが懸念される。この点、傾斜壁部に溝部を設けて結束バンドの位置決めを行うことで、例えば、フォークリフトのフォークが溝部に接触しても、当該溝部が結束バンドの位置決めを行えなくなる程度に損傷する可能性は低い。従って、結束バンドの装着状態の安定化等を図ることができる。
【００１５】
手段３．前記溝部は、前記傾斜壁部から、前記天壁部、及び、前記外壁部にも連続して設けられていることを特徴とする手段２に記載の蓋部材。
【００１６】
手段３によれば、結束バンドの装着状態をより一層安定化させることができ、結束バンドの位置決め効果をより高めることができる。
【図面の簡単な説明】
【００１７】
【図１】梱包ユニットの斜視図である。
【図２】蓋部材の上面側を示す斜視図である。
【図３】蓋部材の下面側を示す斜視図である。
【図４】パレットの斜視図である。
【図５】蓋部材同士を裏返した状態で積み重ね、パレットに載置した状態を示す斜視図である。
【図６】梱包ユニットを段積みした状態を示す斜視図である。
【図７】蓋部材の傾斜壁部を示す部分拡大斜視図である。
【図８】蓋部材の傾斜壁部を示す一部断面を含む斜視図である。
【図９】別の実施形態における蓋部材の傾斜壁部を示す部分拡大斜視図である。
【図１０】別の実施形態における蓋部材の傾斜壁部を示す部分拡大斜視図である。
【発明を実施するための形態】
【００１８】
以下に、一実施形態について図面を参照して説明する。図１に示すように、梱包ユニット１は、平面視略矩形状（本例では略正方形状）のパレット２と、物品を収容し、パレット２に載置される直方体形状の箱部材３（例えば、段ボール箱）と、箱部材３に被せられる蓋部材４とを備えている。本実施形態では、パレット２に対して、平面視で３×３列として、９つの箱部材３をほぼ隙間なく水平方向に並べて設置可能に構成されている。また、蓋部材４は、当該パレット２に設置された９つの蓋部材４をまとめて覆うことのできる形状となっている。尚、図１では、パレット２に対し、箱部材３が４段ずつ積み重ねられた状態で載置されており、一番上の箱部材３に対して蓋部材４が被せられている。
【００１９】
図４等に示すように、パレット２は、パレット２の相対する一対の側辺部にそれぞれ沿って設けられる一対の外柱構成部１１と、当該一対の外柱構成部１１の中間位置において各外柱構成部１１と平行に延在するようにして設けられる内柱構成部１２と、各外柱構成部１１の上端部と、内柱構成部１２の上端部との間を連結するデッキ部１３とを備えている。さらに、各外柱構成部１１と、内柱構成部１２との間には、フォークリフトやハンドリフトのフォークを差込み可能なフォーク差込み部１４が形成されている。本実施形態のパレット２は、ポリプロピレンによって一体的に形成されている。
【００２０】
また、本実施形態の外柱構成部１１、及び、内柱構成部１２のそれぞれは、互いに近接して設けられた複数の柱部により構成されている。さらに、外柱構成部１１、及び、内柱構成部１２（各柱部）は、中空状で上方に開口するとともに、下方に向けて次第に外寸が小さくなる四角錐台形状をなしている。当該構成により、パレット２同士を同じ向きとして上下に配置し、上側のパレット２の外柱構成部１１、及び、内柱構成部１２を、下側のパレット２の外柱構成部１１、及び、内柱構成部１２の内側に収容させるようにして、パレット２同士を上下に積み重ねる（ネスティングする）ことが可能となっている。
【００２１】
加えて、パレット２の上面の外周縁から上方に突出する位置決めリブ１５が設けられている。位置決めリブ１５により、図１に示すように、パレット２に載置された箱部材３の水平方向における位置ずれ（脱落）が防止されるようになっている。尚、図４に示すように、位置決めリブ１５は、外柱構成部１１、及び、内柱構成部１２の上辺部から直接上方に延びる構成ではなく、外柱構成部１１、及び、内柱構成部１２の上辺部と、位置決めリブ１５との間においても、デッキ部１３と面一となる壁部が設けられている。
【００２２】
図２、図３に示すように、蓋部材４は、平面視略矩形状の天壁部２１と、天壁部２１の各側辺部からそれぞれ下方に延出する外壁部２２と、外壁部２２の内周側において、天壁部２１から下方に突出するとともに、相対する外壁部２２間を連結する複数の補強リブ２３（図３参照）とを備えている。本実施形態の蓋部材４は、ポリプロピレンによって一体的に形成されている。
【００２３】
また、図３に示すように、本実施形態の補強リブ２３は、天壁部２１の各側辺部と平行して延びており、相対する一対の外壁部２２間を連結する補強リブ２３と、前記相対する一対の外壁部２２の一端部間、及び、他端部間を連結する相対する一対の外壁部２２間を連結する補強リブ２３とが交差する（本例では、直交する）ような格好で、格子状に設けられている。さらに、補強リブ２３の天壁部２１からの突出長は、外壁部２２の天壁部２１からの延出長よりも短く構成されている。箱部材３に被せられた蓋部材４は、補強リブ２３の下縁部が箱部材３の上面と当接して支持されるとともに、外壁部２２の内面が、箱部材３の外周面と当接、又は、近接することとなり、蓋部材４との間で水平方向における位置ずれが防止されるようになっている。
【００２４】
また、図２に示すように、天壁部２１には、天壁部２１から上方に僅かに突出するとともに、天壁部２１の相対する側辺部の中央部間をそれぞれ連結するようにして延在する十字補強凸部２４が設けられている。さらに、天壁部２１の上面の外周縁に沿って、前記十字補強凸部２４よりも上方に大きく突出する嵌合凸部２５が設けられている。本実施形態の嵌合凸部２５は、天壁部２１の各コーナー部、及び、天壁部２１の各側辺部の中央部を含む部位（本例では、十字補強凸部２４の端部）に対応して設けられている。但し、嵌合凸部２５（及び、十字補強凸部２４）は、天壁部２１の外周縁よりも、外壁部２２の厚みとほぼ同じ長さを、天壁部２１の内周側に変位した位置に設けられている。
【００２５】
当該構成により、蓋部材４を上下に積み重ねた場合に、上側の蓋部材４の外壁部２２の内周側に、下側の蓋部材４の嵌合凸部２５が挿入され、上側の蓋部材４の外壁部２２の内面と、下側の蓋部材４の嵌合凸部２５の外面とが当接、又は、近接するとともに、上側の蓋部材４の外壁部２２の下縁部が、下側の蓋部材４の天壁部２１のうち嵌合凸部２５の外方に位置する部位に当接して支持される（当該構成に代えて、又は、加えて、上側の蓋部材４の補強リブ２３の下縁部が、下側の蓋部材４の嵌合凸部２５の上面に当接して支持されることとしてもよい）ようになっている。
【００２６】
さらに、図５に示すように、本実施形態では、パレット２に対して、蓋部材４を裏返して載置することで、蓋部材４の嵌合凸部２５の外面が、パレット２の位置決めリブ１５の内面に当接、又は、近接するとともに、蓋部材４の嵌合凸部２５のうち下側を向いている面（通常の向きでは上面）が、パレット２の上面に当接して支持されるようになっている。
【００２７】
また、図２に示すように、天壁部２１の上面側には、天壁部２１の各コーナー部の近傍において、嵌合凸部２５のうち、天壁部２１の各コーナー部に設けられた平面視略Ｌ字状の嵌合凸部２５の内面側（劣角側）と連接する平面視略正方形状のコーナー補強凸部２６が設けられている。コーナー補強凸部２６の上面の高さ位置は、十字補強凸部２４の上面の高さ位置と同じとなっている。
【００２８】
図６に示すように、梱包ユニット１同士を積み重ねた（段積みした）場合には、上段の梱包ユニット１のパレット２の外柱構成部１１、及び、内柱構成部１２の下面が、下段の梱包ユニット１の蓋部材４の十字補強凸部２４、及び、コーナー補強凸部２６の上面に当接して支持されるとともに、上段の梱包ユニット１のパレット２の外柱構成部１１、及び、内柱構成部１２の外面が、下段の梱包ユニット１の蓋部材４の嵌合凸部２５の内面と当接、又は、近接するようになっている。
【００２９】
加えて、本実施形態では、十字補強凸部２４、嵌合凸部２５、及び、コーナー補強凸部２６は、天壁部２１の厚みを変えたり、リブを設けたりするのではなく、天壁部２１を部分的に上方に膨出させる（変形させる）ことで形成されており、その下面側には、天壁部２１のその他の部位と同様に、補強リブ２３が連結されている（図３参照）。尚、十字補強凸部２４、嵌合凸部２５、及び、コーナー補強凸部２６に関し、天壁部２１の厚みを厚くすることで構成されることとしてもよい。
【００３０】
また、各外壁部２２の横幅方向中央部、特に、本実施形態では、十字補強凸部２４の端部に連結されている嵌合凸部２５の下方に位置する部位には、外壁部２２の下辺部を切り欠くようにして形成された持ち手部２７が設けられている。これにより、床面等に設置されている蓋部材４を持ち上げたり、段積みされた蓋部材４のうち上側の蓋部材４を持ち上げたりする場合に、作業者が、持ち手部２７を介して、蓋部材４の下面側に手を掛けられるようになっている。尚、持ち手部２７の上縁部は、補強リブ２３の下縁部よりも下方に位置している（図３参照）。
【００３１】
さて、図６等に示すように、蓋部材４のうち、梱包ユニット１を段積みした場合に、上段の梱包ユニット１のパレット２のフォーク差込み部１４の下方に配置される部位において、天壁部２１と、外壁部２２との境界部は、天壁部２１と、外壁部２２との間を斜めに連結する傾斜壁部２８により構成されている。本実施形態では、外壁部２２が天壁部２１に対してほぼ直交して延びており、傾斜壁部２８は、外壁部２２、及び、天壁部２１に対して、約４５度傾いて延びている。また、傾斜壁部２８の下縁部は、外壁部２２の高さ方向中央部よりも若干上方に位置し、補強リブ２３の下縁部よりも上方に位置している。加えて、傾斜壁部２８の両端部と、外壁部２２、及び、天壁部２１との間は、傾斜壁部２８の両端部から、外壁部２２、及び、天壁部２１に向けて、傾斜壁部２８の側方に傾斜して延びる端壁部２９により連結されている。
【００３２】
尚、蓋部材４の周方向において傾斜壁部２８、及び、端壁部２９が設けられた範囲には、前記嵌合凸部２５は設けられていない。また、本実施形態の蓋部材４は、平面視、及び、下面視した場合に、４回回転対称形状とされており、天壁部２１の各側辺部において、傾斜壁部２８が設けられている。
【００３３】
さらに、図３に示すように、蓋部材４は、傾斜壁部２８の内側面と、補強リブ２３との間を連結する増強リブ３０を備えている。本実施形態の増強リブ３０は、傾斜壁部２８、及び、傾斜壁部２８の下縁部と連続する外壁部２２と、当該外壁部２２に対して平行して延びる補強リブ２３のうち最も近い補強リブ２３との間を、最短距離で連結している。
【００３４】
また、図３に示すように、本実施形態では、外壁部２２のうち、蓋部材４の周方向において、傾斜壁部２８が設けられた区間Ｘ（本例では、端壁部２９が設けられた区間も含む）においては、相対する外壁部２２の間が、５本の補強リブ２３で連結されるように構成されており、増強リブ３０は、当該５本の補強リブ２３の間に、当該補強リブ２３と平行して延びるリブを１本ずつ追加するような格好で設けられている。さらに、増強リブ３０の下縁部は、補強リブ２３の下縁部と同じ高さ位置（略面一）となっており、蓋部材４を箱部材３に被せた場合には、補強リブ２３の下縁部とともに、箱部材３の上面に当接するようになっている。
【００３５】
尚、本実施形態の補強リブ２３は、部位によって形成ピッチが異なっており、外壁部２２のうち十字補強凸部２４の端縁に対応する部位の間を連結する補強リブ２３（十字対応リブ）は、その他の部位に設けられる補強リブ２３よりも密に設けられている。さらに、外壁部２２のうち各コーナー補強凸部２６の端縁に対応する部位の間を連結する補強リブ２３（外周対応リブ）についても、十字対応リブと、外周対応リブとで囲まれる範囲に設けられる補強リブ２３に比べ、密に設けられている。また、傾斜壁部２８が設けられた区間Ｘに関しては、上記のように、増強リブ３０が設けられており、補強リブ２３、及び、増強リブ３０を合わせると、十字対応リブよりも密に設けられる格好となっている。加えて、本例では、十字対応リブが設けられる範囲、及び、外周対応リブが設けられる範囲のうち、傾斜壁部２８が設けられた区間Ｘに隣接する部位においても、増強リブ３０が設けられている。
【００３６】
また、図１、図７、図８等に示すように、傾斜壁部２８の外側面には、梱包ユニット１のパレット２の下面側（デッキ部１３の下面であって、フォーク差込み部１４の上縁部）と、蓋部材４の上面側とにかけて装着される結束バンド３１の位置決めを行う溝部３２が設けられている。本実施形態の結束バンド３１の横幅は、例えば、各傾斜壁部２８の横幅の約１／１０であり、溝部３２の横幅は、結束バンド３１の横幅よりも若干広く構成されている。さらに、溝部３２の深さは、結束バンド３１の厚みよりも若干浅く構成されている。
【００３７】
また、溝部３２は、傾斜壁部２８から、天壁部２１、及び、外壁部２２にも連続して設けられている。本実施形態では、外壁部２２においては、溝部３２が外壁部２２の下端部にまで延在し、溝部３２の深さも一定となっている。その一方で、天壁部２１においては、溝部３２の深さが蓋部材４の内周側に向けて次第に浅くなり、当該溝部３２が蓋部材４の幅の中央部に至る前に、溝部３２の底面が、天壁部２１の上面と同じ高さとなるように構成されている。加えて、溝部３２は、傾斜壁部２８、天壁部２１、及び、外壁部２２の対応部位を、厚みを変えることなく、蓋部材４の内方に凹ませる（変形させる）ようにして形成されている。
【００３８】
尚、パレット２のデッキ部１３の側面のうち、フォーク差込み部１４入口の上方に位置する部位にも、結束バンド３１の位置決めを行うパレット側溝部１７が設けられている。梱包ユニット１の蓋部材４の溝部３２、及び、パレット２のパレット側溝部１７にかけて装着された結束バンド３１は、鉛直方向に延在するようになっている。
【００３９】
以上詳述したように、本実施形態によれば、蓋部材４のうち、梱包ユニット１を段積みした場合に、上段の梱包ユニット１のパレット２のフォーク差込み部１４の下方に配置される部位において、天壁部２１と、外壁部２２との境界部は、天壁部２１と、外壁部２２との間を斜めに連結する傾斜壁部２８により構成されている。さらに、蓋部材４は、傾斜壁部２８の内側面と、補強リブ２３との間を連結する増強リブ３０を備えている。このため、段積みされた梱包ユニット１のうち上段の梱包ユニット１をフォークリフトで順次運搬する場合等において、パレット２のフォーク差込み部１４に対しフォークリフトのフォークを差し込む際に、フォークの先端が蓋部材４の傾斜壁部２８に接触してしまった場合、当該傾斜壁部２８の内側面と連結されているリブ（補強リブ２３、及び、増強リブ３０）の全て（並びに、天壁部２１）が協働して、傾斜壁部２８を支持することとなる。つまり、フォークが蓋部材４に接触した衝撃を、傾斜壁部２８を介して、当該傾斜壁部２８に連結されている全てのリブ（並びに、天壁部２１）に分散させることができ、フォークとの接触部位の損傷や変形等を防止することができる。従って、蓋部材４の耐久性の向上を図ることができる。特に、外壁部２２のうち、蓋部材４の周方向において傾斜壁部２８が設けられている区間Ｘに関しては、補強リブ２３だけでなく、増強リブ３０が連結されている。従って、蓋部材４に設けられるリブが全体的に増加する場合に比べて蓋部材４の重量化を抑制しつつ、上記のようにフォークに接触された傾斜壁部２８を支持するリブのピッチをより密にすることができ、接触部位の変形等を防止する作用効果がより一層奏される。
【００４０】
さらに、傾斜壁部２８に接触したフォークリフトのフォークは、傾斜壁部２８の傾斜により、フォーク差込み部１４側に案内されることとなり（フォークをフォーク差込み部１４側に逃がすことができ）、この点からも、フォークとの接触部位の損傷等を防止するといった作用効果がより顕著に奏される。加えて、増強リブ３０により、蓋部材４の外周部の強度を効果的に高めることができ、形状の安定化等を図ることができる。尚、補強リブ２３は、補強リブ２３同士が交差するようにして格子状に設けられている。このため、補強リブ２３、ひいては、蓋部材４の強度及び剛性をより一層高めるとともに、傾斜壁部２８と補強リブ２３との間を連結する増強リブ３０を設けることにより傾斜壁部２８の周辺部の耐久性を向上させるといった作用効果がより確実に奏される。
【００４１】
また、傾斜壁部２８の外側面には、結束バンド３１の位置決めを行う溝部３２が設けられている。このため、梱包ユニット１に装着された結束バンド３１がずれるといった事態を抑止することができる。特に、天壁部２１と、外壁部２２との境界部が傾斜壁部２８とされている部位に溝部３２が設けられることにより、例えば、天壁部２１と、外壁部２２とがほぼ直角に連結された境界部に結束バンド３１が掛けられる場合に比べ、前記境界部の変形等を抑制する（上記のように、傾斜壁部２８の内面側には増強リブ３０が追加で設けられているため、かかる効果がより顕著になる）とともに、溝部３２を好適な位置で面積をより広く確保して設けることができる。
【００４２】
さらに、例えば、傾斜壁部２８において、結束バンド３１の両側方位置から突出する一対のリブを設けることによって、結束バンド３１の位置決めを行うことも考えられるが、この場合、前記リブに対し、フォークリフトのフォークが接触した場合に、前記リブが損傷し（折り取れ）、位置決めを行うことが不可能になってしまうことが懸念される。この点、傾斜壁部２８に溝部３２を設けて結束バンド３１の位置決めを行うことで、例えば、フォークリフトのフォークが溝部３２に接触しても、当該溝部３２が結束バンド３１の位置決めを行えなくなる程度に損傷する可能性は低い。従って、結束バンド３１の装着状態の安定化等を図ることができる。
【００４３】
加えて、溝部３２は、傾斜壁部２８から、天壁部２１、及び、外壁部２２にも連続して設けられている。このため、結束バンド３１の装着状態をより一層安定化させることができ、結束バンド３１の位置決め効果をより高めることができる。
【００４４】
尚、上記実施形態の記載内容に限定されず、例えば次のように実施してもよい。勿論、以下において例示しない他の応用例、変更例も当然可能である。
【００４５】
（ａ）上記実施形態では、物品を箱部材３（例えば、段ボール箱）に収容してパレット２に載置するとともに、箱部材３に蓋部材４を被せた形態の梱包ユニット１に具体化されているが、特にかかる構成に限定されるものではなく、例えば、物品を収容した合成樹脂製の容器をパレット２に載置してもよいし、さらに、かかる合成樹脂製の容器が折畳み可能なものであってもよい。加えて、物品そのものをパレット２に載置する（その上に蓋部材４を被せる）構成であってもよいし、パレット２の上面側に対し、上下に貫通する四角筒状の側壁部を立設するとともに、当該側壁部の上側の開口部を蓋部材で閉塞するようにして構成されるボックスパレットに具体化することも可能である。
【００４６】
（ｂ）上記実施形態では、梱包ユニット１を構成するパレット２としてネスティング可能なパレットに具体化されているが、ネスティングが行えないパレットに具体化してもよい。さらに、例えば、複数の柱部（外柱構成部１１、内柱構成部１２）の上端部間を連結する上デッキ部だけでなく、下端部間を連結する下デッキ部が設けられたパレットに具体化することも可能である。
【００４７】
但し、下デッキ部が設けられておらず、梱包ユニット１を段積みした場合に、上段の梱包ユニット１のパレット２のフォーク差込み部１４の入口の下縁部が、下段の梱包ユニット１の蓋部材４の上面により画定される構成が前提とされることで、段積みされた梱包ユニット１を上段のものからフォークリフトで順次運搬する場合等において、フォークリフトのフォークが、蓋部材４に接触するといった事態がより発生し易くなる。かかる構成において、蓋部材４に傾斜壁部２８を設けるとともに、その内面側に増強リブ３０を設けることで、蓋部材４の損傷を抑制し、耐久性の向上を図るといった作用効果がより顕著に奏される。
【００４８】
（ｃ）上記実施形態では、蓋部材４を下面視した場合の補強リブ２３は、天壁部２１の側辺部と平行して延びているが、天壁部２１の各側辺部に対して傾斜した方向に延びていてもよい。また、上記実施形態では、補強リブ２３同士が直交するようにして格子状に設けられているが、９０度以外の角度で交差してもよいし、交差しなくてもよい。但し、外壁部２２のうち蓋部材４の周方向において傾斜壁部２８が設けられた区間に関しては、補強リブ２３、及び、増強リブ３０の両方が連結されることが望ましい。
【００４９】
さらに、上記実施形態では、蓋部材４を下面視した場合の増強リブ３０は、当該増強リブ３０と連結された外壁部２２に対して直交して延びているが、９０度以外の角度で傾斜して延びていてもよい。加えて、同じ傾斜壁部２８と連結される複数の増強リブ３０の延在方向についても、同じ方向に揃っていなくてもよく、互いに遠ざかったり、互いに近付いたりするようにして延在していてもよい。
【００５０】
（ｄ）上記実施形態では、蓋部材４の傾斜壁部２８に設けられた溝部３２が、外壁部２２、及び、天壁部２１にも連続して設けられているが、外壁部２２、及び、天壁部２１のうちどちらか一方には溝部３２が設けられない構成としてもよいし、図９に示すように、溝部３２が傾斜壁部２８のみに設けられる構成としてもよい。加えて、上記実施形態において、溝部３２の深さを、結束バンド３１の厚みと同じ、又は、結束バンド３１の厚みよりも深く構成してもよい。この場合、溝部３２に設置された結束バンド３１の位置決めをより確実に行うとともに、溝部３２に収容された結束バンド３１の両側辺部に対してフォークリフトのフォークが接触するといった事態を抑制することができ、結束バンド３１の損傷を抑制することができる。
【００５１】
また、図１０に示すように、蓋部材４（傾斜壁部２８、天壁部２１、及び、外壁部２２）の外面側において、溝部３２の両側部に隣接する部位から若干（例えば、１ｍｍ程度）突出する補助突部４１を設けることとしてもよい。この場合、溝部３２の深さをそれ程深くすることなく、上記のように溝部３２の深さを深くした場合と同様にして、溝部３２に設置された結束バンド３１の位置決めをより確実に行う等の作用効果が奏される。さらに、補助突部４１の突出長を極力小さくすることで、フォークリフトのフォークが補助突部４１に接触したとしても、補助突部４１の損傷を抑制することができる。
【００５２】
また、上記実施形態では特に言及していないが、補強リブ２３や増強リブ３０が、溝部３２の内側面と連結されることとしてもよい。この場合、溝部３２の変形等を効果的に防止することができる。加えて、上記実施形態では、溝部３２は、蓋部材４の該当箇所を蓋部材４の内方に凹ませることで構成されているが、例えば、傾斜壁部２８を天壁部２１よりも厚く構成するとともに、傾斜壁部２８の該当箇所を薄肉にすることで溝部を構成することとしてもよい。
【００５３】
（ｅ）上記実施形態では、パレット２、及び、蓋部材４は、ポリプロピレンにより構成されているが、ポリエチレン、ＰＥＴ、ポリアミド等その他の樹脂材料により構成されることとしてもよい。また、上記実施形態のパレット２は、パレット２の外周面を構成する４つの側面のうち２つの側面側からフォークリフトのフォークを差し込み可能とする２方差しタイプのパレット２に具体化されているが、４方差しタイプのパレットに適応することも可能である。
【符号の説明】
【００５４】
１…梱包ユニット、２…パレット、３…箱部材、４…蓋部材、１４…フォーク差込み部、２１…天壁部、２２…外壁部、２３…補強リブ、２８…傾斜壁部、３０…増強リブ、３１…結束バンド、３２…溝部。
【図１】
2019210006.tif 000003
【図２】
2019210006.tif 000004
【図３】
2019210006.tif 000005
【図４】
2019210006.tif 000006
【図５】
2019210006.tif 000007
【図６】
2019210006.tif 000008
【図７】
2019210006.tif 000009
【図８】
2019210006.tif 000010
【図９】
2019210006.tif 000011
【図１０】
2019210006.tif 000012